(57)【要約】【課題】プラズマディスプレイパネルのデータ電極の端子部でのマイグレーションに対して抑制を強化して絶縁破壊を防止する。【解決手段】各表示セルで１画素に対応する複数の色（Ｒ，Ｇ，Ｂ）の蛍光体層が表示電極対の延在する方向に一定の順序（Ｒ→Ｇ→Ｂ）で形成され、かつ、各蛍光体層が各データ電極２１，２２，２３の延在する方向に同一の色で形成され、各データ電極２１，２２，２３が、当該データ電極の延在する方向の２つの表示セル毎の境界部分で、表示電極対の延在する方向に隣接する表示セルに対応付けられるように屈曲されている。これにより、全画面が単色又は２色で長時間固定される場合でも、データ電極端子間でマイグレーションの進行が遅くなり、絶縁破壊が防止される。【選択図】図３
2009187908.tif 000002
【特許請求の範囲】
【請求項１】
一方の面上に複数の表示電極対が形成された前面基板と、
一方の面上に複数のデータ電極が形成された背面基板とを有し、
前記表示電極対と前記データ電極とが交差するように前記前面基板と前記背面基板とが対向配置されると共に、前記表示電極対と前記データ電極との交差領域に表示セルが形成されたプラズマディスプレイパネルであって、
前記表示セルでは、
１画素に対応する複数の色の蛍光体層が前記表示電極対の延在する方向に一定の順序で形成され、
前記各データ電極は、
前記複数の色の蛍光体層が形成されている前記各表示セルに対応付けられていることを特徴とするプラズマディスプレイパネル。
【請求項２】
前記各蛍光体層は、
前記各データ電極が延在する方向に同一の色で形成され、
前記各データ電極は、
当該データ電極が延在する方向の前記各表示セルの任意の境界部分で、前記表示電極対の延在する方向に隣接する表示セルに対応付けられるように屈曲されていることを特徴とする請求項１記載のプラズマディスプレイパネル。
【請求項３】
前記各データ電極は、
当該データ電極が延在する方向に直線状に形成され、
前記各蛍光体層は、
前記各データ電極が延在する方向の任意数の表示セル毎に異なる色で形成されていることを特徴とする請求項１記載のプラズマディスプレイパネル。
【請求項４】
請求項１乃至３のいずれか一に記載のプラズマディスプレイパネルを備えたプラズマ表示装置。
【発明の詳細な説明】
【技術分野】
【０００１】
この発明は、プラズマディスプレイパネル及び該プラズマディスプレイパネルを備えたプラズマ表示装置に係り、特に、フルスペックのＨＤＴＶ（High Definition Television）放送に対応するプラズマテレビなどに用いて好適なプラズマディスプレイパネル及び該プラズマディスプレイパネルを備えたプラズマ表示装置に関する。
【背景技術】
【０００２】
プラズマテレビなどのプラズマ表示装置は、近年では、フルスペックのＨＤＴＶ（High Definition Television）放送（フルハイビジョン）に対応するプラズマディスプレイパネル（Plasma Display Panel、ＰＤＰ）が製作されているため、液晶テレビと共に広く普及してきている。
【０００３】
図１は、ＰＤＰの要部の構成例を示す分解斜視図である。
このＰＤＰは、同図に示すように、ガラスからなる前面基板１及び背面基板２を備えている。前面基板１上には、放電ギャップＧを隔てて互いに平行に配置された透明の走査電極３及び維持電極４（表示電極対）が設けられ、かつ、バス電極５及びバス電極６が同走査電極３及び維持電極４にそれぞれ重なるように配置されている。バス電極５及びバス電極６は、Ａｌ（アルミニウム）、Ｃｕ（銅）、Ａｇ（銀）などの金属材料で構成され、走査電極３及び維持電極４の抵抗値を小さくする。さらに、これらの電極を覆う透明誘電体層１０、及び同透明誘電体層１０を放電から保護するための酸化マグネシウムなどからなる保護層１１が形成されている。また、背面基板２上には、走査電極３及び維持電極４と交差するように配置されたデータ電極７、及び同データ電極７を覆うための白色誘電体層１２が形成されている。また、上記表示電極対とデータ電極７との交差領域に表示セルが形成される。さらに、白色誘電体層１２の表面には、隣接する表示セルとの間を分離するための隔壁１３が設けられ、かつ白色誘電体層１２の表面及び隔壁１３の側面に赤（Ｒ），緑（Ｇ），青（Ｂ）に対応する各蛍光体層９が順次繰り返して形成されている。
【０００４】
フルハイビジョンに対応するＰＤＰは、画面の画素数が１９２０（水平）×１０８０（垂直）で構成され、通常のハイビジョンのＰＤＰの画素数の１３６６（水平）×７６８（垂直）に比較して高精細化されている。このため、１画素を構成するサブ画素に対応する表示セルが微細化されると共に、データ電極７に接続されている図示しないデータ電極端子間のピッチが狭小化されている。また、データ電極端子の材料は、パターン印刷による金電極、スパッタによるアルミ電極、又はフォトリソによる銀電極などが使用される。この場合、感光性の銀材料を用いてフォトリソにより形成されたデータ電極は、工法、材料のコスト面において、他の材料の電極に比べて優れている。
【０００５】
ところが、銀という金属の特性上、マイグレーションによりデータ電極端子間で絶縁破壊が発生することがあり、品質上の問題点となっている。データ電極端子間のマイグレーションは、互いに隣接するデータ電極端子間に同一方向の電界が長時間連続して形成される場合に進行する。すなわち、従来のＰＤＰでは、たとえば図２（ａ）に示すように、ｍ，…，（ｍ＋５）列のデータ電極にｎ，…，（ｎ＋３）行の表示セルが対応付けられているが、１本のデータ電極に、Ｒ，Ｇ，Ｂのいずれか１色の表示セルが対応するため、たとえば図２（ｂ）に示すように、全画面青単色の表示が長時間固定される場合、（ｍ＋１）列のデータ電極端子と（ｍ＋２）列のデータ電極端子との間、（ｍ＋２）列のデータ電極端子と（ｍ＋３）列のデータ電極端子との間、及び、（ｍ＋４）列のデータ電極端子と（ｍ＋５）列のデータ電極端子との間に一定方向の電界が形成される累積時間が最も長くなり、マイグレーションの進行が最も速いと考えられる。
【０００６】
また、たとえば図２（ｃ）に示すように、全画面青緑２色の表示が長時間固定される場合、ｍ列のデータ電極端子と（ｍ＋１）列のデータ電極端子との間、（ｍ＋２）列のデータ電極端子と（ｍ＋３）列のデータ電極端子との間、及び、（ｍ＋３）列のデータ電極端子と（ｍ＋４）列のデータ電極端子との間に一定方向の電界が形成される累積時間が最も長くなり、マイグレーションの進行が最も速いと考えられる。このため、近年の高精細化によるデータ電極端子間のピッチの狭小化に伴い、マイグレーションに対する耐性に優れた構成とする必要がある。
【０００７】
上記のプラズマディスプレイパネルの他、この種の技術としては、たとえば、次のような特許文献１に記載されたプラズマディスプレイパネルがある。
このプラズマディスプレイパネルは、一方の面上に複数の表示電極対が形成された前面基板と、一方の面上に複数のデータ電極と放電区間を区切る隔壁とが形成された背面基板とが、表示電極対とデータ電極とが直交するように対向配置されると共に、その周辺部が封着部材によって封着されている。そして、背面基板の封着部材の外周端部に外部駆動回路とデータ電極とを接続するためのデータ電極端子が設けられ、各データ電極端子の間に絶縁部材で構成された凸部が設けられている。これにより、データ電極端子部において、電界による金属イオンのマイグレーションが抑制される。
【特許文献１】特開号２００７―２８７４０８公報（要約書、図３）
【発明の開示】
【発明が解決しようとする課題】
【０００８】
しかしながら、上記文献を含む従来のＰＤＰでは、次のような問題点があった。
すなわち、図２のＰＤＰでは、たとえばフラチインフォメーションのように、画面周辺部を常に青で表示するブルーバック表示に用いられる場合、青の蛍光体のみでなく、他の色の蛍光体も含むことにより、ある程度のマイグレーション対策を行うことはできるが、根本的解決にはならないという問題点が一例として挙げられる。
【０００９】
また、特許文献１に記載されたプラズマディスプレイパネルでは、各データ電極端子の間に絶縁部材の凸部を設けることにより、ハード的なマイグレーション対策が行われ、実用上は問題のない構成になっているが、ブルーバック表示が長時間継続されると、マイグレーションがある程度の確率で発生することは避けられない。今後、ＰＤＰのさらなる長寿命化が要求されることを考慮すると、より信頼性の高いマイグレーション対策が必要となる。
【課題を解決するための手段】
【００１０】
上記課題を解決するために、請求項１記載の発明は、一方の面上に複数の表示電極対が形成された前面基板と、一方の面上に複数のデータ電極が形成された背面基板とを有し、前記表示電極対と前記データ電極とが交差するように前記前面基板と前記背面基板とが対向配置されると共に、前記表示電極対と前記データ電極との交差領域に表示セルが形成されたプラズマディスプレイパネルに係り、前記表示セルでは、１画素に対応する複数の色の蛍光体層が前記表示電極対の延在する方向に一定の順序で形成され、前記各データ電極は、前記複数の色の蛍光体層が形成されている前記各表示セルに対応付けられていることを特徴とする。
【発明を実施するための最良の形態】
【００１１】
上記各蛍光体層は、各データ電極が延在する方向に同一の色で形成され、同各データ電極は、当該データ電極が延在する方向の各表示セルの任意の境界部分で、表示電極対の延在する方向に隣接する表示セルに対応付けられるように屈曲されている。これにより、全画面が単色又は２色で長時間固定される場合でも、各データ電極端子間に一定方向の電界が長時間形成されることを回避できるので、同各データ電極端子間でマイグレーションの進行を遅くでき、絶縁破壊を防止できる。
【００１２】
上記各データ電極は、当該データ電極が延在する方向に直線状に形成され、上記各蛍光体層は、上記各データ電極が延在する方向の任意数の表示セル毎に異なる色で形成されている。これにより、全画面が単色又は２色で長時間固定される場合でも、各データ電極端子間に一定方向の電界が長時間形成されることを回避できるので、同各データ電極端子間でマイグレーションの進行を遅くでき、絶縁破壊を防止できる。
【実施例１】
【００１３】
図３は、この発明の第１の実施例であるＰＤＰの要部の構成を示す図であり、同図（ａ）は、データ電極及び蛍光体層の配置状態を示す図、及び同図（ｂ）が、表示セルの配置状態を示す図である。
この例のＰＤＰ２０は、図１と同様の構成であるが、図３（ａ）に示すように、各表示セルでは、１画素に対応する複数の色（Ｒ，Ｇ，Ｂ）の蛍光体層が表示電極対の延在する方向に一定の順序（たとえば、Ｒ→Ｇ→Ｂ）で形成され、また、各データ電極２１，２２，２３は、上記Ｒ，Ｇ，Ｂの蛍光体層が形成されている各表示セルに対応付けられている。特に、この実施例では、各蛍光体層は、各データ電極２１，２２，２３が延在する方向に同一の色で形成されている。また、各データ電極２１，２２，２３は、当該データ電極が延在する方向の２つの表示セル毎の境界部分で、表示電極対の延在する方向に隣接する表示セルに対応付けられるように屈曲されている。
【００１４】
また、このＰＤＰ２０は、たとえばフルハイビジョン（画素数；水平方向１９２０×垂直方向１０８０）に対応し、表示セルが５７６０（＝１９２０×３）（水平）×１０８０（垂直）で構成され、図示しない５７６０個のデータ電極を備えている。一部の表示セルの配置状態は、たとえば図３（ｂ）に示すように、１６画素（水平）×９画素（垂直）の領域で表され、各１画素が、それぞれ表示セルＲ（１，１），Ｇ（１，１），Ｂ（１，１）、表示セルＲ（２，１），Ｇ（２，１），Ｂ（２，１）、…、表示セルＲ（１６，９），Ｇ（１６，９），Ｂ（１６，９）で構成されている。
【００１５】
図４は、図３のＰＤＰ２０の動作を説明する図である。
この図を参照して、この例のＰＤＰ２０の動作について説明する。
このＰＤＰ２０では、図４（ａ）に示すように、ｍ，…，（ｍ＋５）列のデータ電極にｎ，…，（ｎ＋３）行の表示セルが対応付けられている。また、同図４（ａ）では、各データ電極が図３（ａ）に示すように屈曲されていることが模式的に表示されている。このＰＤＰ２０で、たとえば図４（ｂ）に示すように、全画面青単色の表示が長時間固定される場合、ｍ列のデータ電極端子と（ｍ＋１）列のデータ電極端子との間、（ｍ＋１）列のデータ電極端子と（ｍ＋２）列のデータ電極端子との間、（ｍ＋２）列のデータ電極端子と（ｍ＋３）列のデータ電極端子との間、（ｍ＋３）列のデータ電極端子と（ｍ＋４）列のデータ電極端子との間、及び、（ｍ＋４）列のデータ電極端子と（ｍ＋５）列のデータ電極端子との間に一定方向の電界が形成される時間は、いずれも２行分の表示時間となり、マイグレーションの進行が遅い。
【００１６】
また、このＰＤＰ２０では、たとえば図４（ｃ）に示すように、全画面青緑２色の表示が長時間固定される場合、ｍ列のデータ電極端子と（ｍ＋１）列のデータ電極端子との間、（ｍ＋１）列のデータ電極端子と（ｍ＋２）列のデータ電極端子との間、（ｍ＋２）列のデータ電極端子と（ｍ＋３）列のデータ電極端子との間、（ｍ＋３）列のデータ電極端子と（ｍ＋４）列のデータ電極端子との間、及び、（ｍ＋４）列のデータ電極端子と（ｍ＋５）列のデータ電極端子との間に一定方向の電界が形成される時間は、いずれも２行置きの２行分の表示時間となり、マイグレーションの進行が遅い。
【００１７】
以上のように、この第１の実施例では、各表示セルで１画素に対応する複数の色（Ｒ，Ｇ，Ｂ）の蛍光体層が表示電極対の延在する方向に一定の順序（Ｒ→Ｇ→Ｂ）で形成され、かつ、各蛍光体層が各データ電極２１，２２，２３の延在する方向に同一の色で形成され、各データ電極２１，２２，２３が、当該データ電極の延在する方向の２つの表示セル毎の境界部分で、表示電極対の延在する方向に隣接する表示セルに対応付けられるように屈曲されているので、全画面が単色又は２色で長時間固定される場合でも、各データ電極端子間に一定方向の電界が長時間形成されることが回避され、同データ電極端子間でマイグレーションの進行が遅くなり、絶縁破壊が防止される。
【実施例２】
【００１８】
図５は、この発明の第２の実施例であるＰＤＰの要部の構成を示す図であり、同図（ａ）は、データ電極及び蛍光体層の配置状態を示す図、及び同図（ｂ）が、表示セルの配置状態を示す図である。
この例のＰＤＰ２０Ａは、図１と同様の構成であるが、図５（ａ）に示すように、各データ電極２１Ａ，２２Ａ，２３Ａは、当該データ電極が延在する方向に直線状に形成されている。また、各蛍光体層は、各データ電極２１Ａ，２２Ａ，２３Ａが延在する方向の２つの表示セル毎に異なる色で形成されている。なお、各蛍光体層は、たとえば特開２００７−８７７０６号公報に示されるように、吐出抑制手段により、データ電極が延在する方向の各表示セルの境界となる箇所に、蛍光体材料の吐出が所定量抑制されて形成される。また、各蛍光体層は、ノズルによる蛍光体材料の塗布や、インクジェットによる蛍光体材料の塗布により形成されることもある。
【００１９】
また、このＰＤＰ２０Ａは、第１の実施例と同様に、フルハイビジョンに対応し、一部の表示セルの配置状態は、たとえば図５（ｂ）に示すように、１６画素（水平）×９画素（垂直）の領域で表され、各１画素が、それぞれ表示セルＲ（１，１），Ｇ（１，１），Ｂ（１，１）、表示セルＲ（２，１），Ｇ（２，１），Ｂ（２，１）、…、表示セルＢ（１，３），Ｒ（１，３），Ｇ（１，３）、表示セルＢ（２，３），Ｒ（２，３），Ｇ（２，３）、…、表示セルＢ（１６，３），Ｒ（１６，３），Ｇ（１６，３）、…、表示セルＲ（１６，９），Ｇ（１６，９），Ｂ（１６，９）で構成されている。
【００２０】
図６は、図５のＰＤＰ２０Ａの動作を説明する図である。
この図を参照して、この例のＰＤＰ２０Ａの動作について説明する。
このＰＤＰ２０Ａでは、図６（ａ）に示すように、ｍ，…，（ｍ＋５）列のデータ電極にｎ，…，（ｎ＋３）行の表示セルが対応付けられている。また、同図６（ａ）では、各蛍光体層は、各データ電極が延在する方向の２つの表示セル毎に異なる色で形成されていることが模式的に表示されている。このＰＤＰ２０Ａで、たとえば図６（ｂ）に示すように、全画面青単色の表示が長時間固定される場合、ｍ列のデータ電極端子と（ｍ＋１）列のデータ電極端子との間、（ｍ＋１）列のデータ電極端子と（ｍ＋２）列のデータ電極端子との間、（ｍ＋２）列のデータ電極端子と（ｍ＋３）列のデータ電極端子との間、（ｍ＋３）列のデータ電極端子と（ｍ＋４）列のデータ電極端子との間、及び、（ｍ＋４）列のデータ電極端子と（ｍ＋５）列のデータ電極端子との間に一定方向の電界が形成される時間は、２行分の表示時間又は２行置きの２行分の表示時間となり、マイグレーションの進行が遅い。
【００２１】
また、このＰＤＰ２０Ａでは、たとえば図６（ｃ）に示すように、全画面青緑２色の表示が長時間固定される場合、ｍ列のデータ電極端子と（ｍ＋１）列のデータ電極端子との間、（ｍ＋１）列のデータ電極端子と（ｍ＋２）列のデータ電極端子との間、（ｍ＋２）列のデータ電極端子と（ｍ＋３）列のデータ電極端子との間、（ｍ＋３）列のデータ電極端子と（ｍ＋４）列のデータ電極端子との間、及び、（ｍ＋４）列のデータ電極端子と（ｍ＋５）列のデータ電極端子との間に一定方向の電界が形成される時間は、２行分の表示時間又は２行置きの２行分の表示時間となり、マイグレーションの進行が遅い。
【００２２】
以上のように、この第２の実施例では、各データ電極２１Ａ，２２Ａ，２３Ａが当該データ電極が延在する方向に直線状に形成され、各蛍光体層が各データ電極２１Ａ，２２Ａ，２３Ａが延在する方向の２つの表示セル毎に異なる色で形成されているので、全画面が単色又は２色で長時間固定される場合でも、各データ電極端子間に一定方向の電界が長時間形成されることが回避され、同データ電極端子間でマイグレーションの進行が遅くなり、絶縁破壊が防止される。
【実施例３】
【００２３】
図７は、この発明の第３の実施例であるプラズマ表示装置の電気的構成の一例を示す概略のブロック図である。
この例のプラズマ表示装置は、同図７に示すように、アナログインタフェース３０と、ＰＤＰモジュール４０とから構成されている。アナログインタフェース３０は、クロマ・デコーダを備えるＹ／Ｃ（輝度色）分離回路３１と、Ａ／Ｄ（アナログ／デジタル）変換回路３２と、ＰＬＬ（位相ロック）回路を有する同期信号制御回路３３と、画像フォーマット変換回路３４と、逆γ変換回路３５と、システム・コントロール回路３６と、ＰＬＥ（Peak Luminance Enhancement）制御回路３７とから構成されている。
【００２４】
ＰＤＰモジュール４０は、デジタル信号処理制御回路４１と、パネル部４２と、ＤＣ／ＤＣコンバータを内蔵するモジュール内電源回路４３とから構成されている。デジタル信号処理制御回路４１は、入力インタフェース信号処理回路４４と、フレームメモリ４５と、メモリ制御回路４６と、ドライバ制御回路４７とから構成されている。パネル部４２は、ＰＤＰ５２と、同ＰＤＰ５２の走査電極を駆動する走査ドライバ４８Ａと、同ＰＤＰ５２の維持電極を駆動する維持ドライバ４８Ｂと、データ電極を駆動するデータドライバ４９Ａ，４９Ｂと、ＰＤＰ５２及び走査ドライバ４８Ａにパルス電圧を供給する高圧パルス回路５０Ａ，５０Ｂと、同高圧パルス回路５０Ａ，５０Ｂで発生する余剰電力を回収する電力回収回路５１とから構成されている。上記ＰＤＰ５２は、上記第１の実施例のＰＤＰ２０又は第２の実施例のＰＤＰ２０Ａと同様の構成となっている。
【００２５】
このプラズマ表示装置では、インタレースに対応したアナログ映像信号がアナログ・インタフェース３０でデジタル映像信号に変換され、同デジタル映像信号がＰＤＰモジュール４０に供給される。たとえば、図示しないテレビチューナなどから出力されたアナログ映像信号は、Ｙ／Ｃ分離回路３１でＲ，Ｇ，Ｂの各色の輝度信号に分離された後、Ａ／Ｄ変換回路３２でデジタル映像信号に変換される。
【００２６】
また、ＰＤＰ５２の入力信号に対する表示輝度の特性は線形的に比例するが、通常の映像信号はＣＲＴの特性に合わせて予め補正（γ変換）されている。このため、Ａ／Ｄ変換回路３２においてアナログ映像信号のＡ／Ｄ変換が行われた後、逆γ変換回路３５で逆γ変換が行われる。この逆γ変換において、線形特性に復元されたデジタル映像信号が生成される。このデジタル映像信号は、ＲＧＢ映像信号としてＰＤＰモジュール４０へ出力される。
【００２７】
また、アナログ映像信号には、Ａ／Ｄ変換用のサンプリングクロック及びデータクロック信号が含まれていないため、同期信号制御回路３３に内蔵されているＰＬＬ回路により、アナログ映像信号と同時に供給される水平同期信号を基準としてサンプリングクロック及びデータクロック信号が生成され、ＰＤＰモジュール４０へ出力される。また、アナログインタフェース３０のＰＬＥ制御回路３７は、ＰＤＰモジュール４０に対して輝度の制御を行う。具体的には、平均輝度レベルが所定値以下である場合には表示輝度を上昇させ、平均輝度レベルが所定値を超える場合には表示輝度を低下させる。ＰＬＥ制御回路３７では、平均輝度レベルに応じて輝度制御データが設定され、入力インタフェース信号処理回路４４内の図示しない輝度レベル制御回路へ送出される。
【００２８】
システム・コントロール回路３６からは、各種制御信号がＰＤＰモジュール４０へ送出される。たとえば、入力インタフェース信号処理回路４４に入力されたＲＧＢ映像信号の平均輝度レベルは、同入力インタフェース信号処理回格４４内の図示しない入力信号平均輝度レベル演算回路により計算され、たとえば１０ビットデータとして出力される。デジタル信号処理制御回路４１では、入力インタフェース信号処理回路４４でこれらの各種信号が処理された後、制御信号がパネル部４２に送出される。同時に、メモリ制御回路４６及びドライバ制御回路４７からメモリ制御信号及びドライバ制御信号がパネル部４２に送出される。
【００２９】
ＰＤＰ５２では、走査ドライバ４８Ａで走査電極が駆動されると共に、維持ドライバ４８Ｂで維持電極が駆動され、かつデータドライバ４９Ａ，４９Ｂでデータ電極が駆動されることにより、対応する表示セルの発光又は非発光が制御され、ＲＧＢ映像信号に対応した表示が行われる。この場合、ドライバ制御回路４７により、表示画面の１フィールド期間が、階調レベルに基づいて重み付けされた複数のサブフィールドに分割され、かつ、同各サブフィールドに、走査期間、維持期間及び予備放電期間が設定される。
【００３０】
走査期間では、各走査電極に走査パルスが線順次に印加されると同時に各データ電極に同走査パルスに同期した表示データパルスが印加されることにより、選択された単位セルにアドレス放電が発生する。維持期間では、各維持電極と各走査電極とに維持パルスが交互に印加されて各単位セルが発光する。予備放電期間では、維持期間で発光した単位セルに対する維持消去放電、及び全ての単位セルに対するプライミング放電が行われる。また、ロジック用電源により、デジタル信号処理制御回路４１及びパネル部４２にロジック用電力が供給される。また、表示用電源からモジュール内電源回路４３に直流電力が供給され、この直流電力の電圧が所定の電圧に変換された後、パネル部４２に供給される。
【００３１】
ここで、ＲＧＢ映像信号が、デジタル信号処理制御回路４１で、たとえば上記図３（ｂ）又は図５（ｂ）に示す１６画素（水平）×９画素（垂直）の領域に対応した入力データＲ，Ｇ，Ｂに変換された場合、これらの入力データＲ，Ｇ，Ｂは、次のように表される。
入力データＲ；ｒ（１，１），ｒ（２，１），…，ｒ（１６，１），
ｒ（１，２），ｒ（２，２），…，ｒ（１６，２），
…，
ｒ（１，９），ｒ（２，９），…，ｒ（１６，９）
入力データＧ；ｇ（１，１），ｇ（２，１），…，ｇ（１６，１），
ｇ（１，２），ｇ（２，２），…，ｇ（１６，２），
…，
ｇ（１，９），ｇ（２，９），…，ｇ（１６，９）
入力データＢ；ｂ（１，１），ｂ（２，１），…，ｂ（１６，１），
ｂ（１，２），ｂ（２，２），…，ｂ（１６，２），
…，
ｂ（１，９），ｂ（２，９），…，ｂ（１６，９）
【００３２】
ＰＤＰ５２が上記第１の実施例のＰＤＰ２０と同様の構成となっている場合、たとえば、データ電極２１には、入力データｒ（１，１）、ｒ（１，２）、ｇ（１，３）、ｇ（１，４）、ｂ（１，５）、ｂ（１，６）、ｇ（１，７）、ｇ（１，８）、ｒ（１，９）が順次入力される。また、ＰＤＰ５２が上記第２の実施例のＰＤＰ２０Ａと同様の構成となっている場合、たとえば、データ電極２１Ａには、入力データｒ（１，１），ｒ（１，２），ｂ（１，３），ｂ（１，４），ｇ（１，５），ｇ（１，６），ｂ（１，７），ｂ（１，８），ｒ（１，９）が順次入力される。
【００３３】
以上のように、この第３の実施例では、ＰＤＰ５２が、ＰＤＰ２０又はＰＤＰ２０Ａと同様の構成となっているので、データ電極端子間でのマイグレーションが防止され、長寿命のプラズマ表示装置が提供される。
【００３４】
以上、この発明の実施例を図面により詳述してきたが、具体的な構成は同実施例に限られるものではなく、この発明の要旨を逸脱しない範囲の設計の変更などがあっても、この発明に含まれる。
たとえば、第１の実施例を示す図３（ａ）中の各データ電極２１，２２，２３は、当該データ電極が延在する方向の２つの表示セル毎の境界部分で、表示電極対の延在する方向に隣接する表示セルに対応付けられるように屈曲されているが、屈曲される部分は、２つの表示セル毎の境界に限らず、たとえば、１つの表示セル毎や３つの表示セル毎など、任意で良く、また、Ｒ，Ｇ，Ｂの表示セルがそれぞれ同数ずつの境界でなくても良いし、周期的でなくても良い。
【００３５】
また、第２の実施例を示す図５（ａ）中の各蛍光体層は、各データ電極２１Ａ，２２Ａ，２３Ａが延在する方向の２つの表示セル毎に異なる色で形成されているが、２つの表示セル毎に限らず、たとえば、１つの表示セル毎や３つの表示セル毎など、任意で良く、また、Ｒ，Ｇ，Ｂの表示セルがそれぞれ同数ずつでなくても良いし、周期的でなくても良い。また、図３（ａ）中の蛍光体層は、表示電極対の延在する方向に、Ｒ→Ｇ→Ｂの順序で形成されているが、任意の順序で良い。また、ＰＤＰ２０，２０Ａは、フルハイビジョン仕様に限定されず、たとえばハイビジョン仕様（１３６６×７６８画素）に対応するものでも良い。
【図面の簡単な説明】
【００３６】
【図１】ＰＤＰの要部の構成例を示す分解斜視図である。
【図２】従来のＰＤＰの問題点を説明する図である。
【図３】この発明の第１の実施例であるＰＤＰの要部の構成を示す図である。
【図４】図３のＰＤＰ２０の動作を説明する図である。
【図５】この発明の第２の実施例であるＰＤＰの要部の構成を示す図である。
【図６】図５のＰＤＰ２０Ａの動作を説明する図である。
【図７】この発明の第３の実施例であるプラズマ表示装置の電気的構成の一例を示す概略のブロック図である。
【符号の説明】
【００３７】
１      前面基板
２      背面基板
３      走査電極（表示電極対の一部）
４      維持電極（表示電極対の一部）
７      データ電極
９      蛍光体層
２０，２０Ａ      ＰＤＰ（プラズマディスプレイパネル）
２１，２２，２３，２１Ａ，２２Ａ，２３Ａ      データ電極
【図１】
2009187908.tif 000003
【図２】
2009187908.tif 000004
【図３】
2009187908.tif 000005
【図４】
2009187908.tif 000006
【図５】
2009187908.tif 000007
【図６】
2009187908.tif 000008
【図７】
2009187908.tif 000009